(57)【要約】【課題】本発明は、レゾルバの渡り線をワニス内に埋もれることを防止し、渡り線の断線を防止することである。【解決手段】本発明によるレゾルバステータの絶縁構造は、輪状ステータコア(1)の各輪状絶縁カバー(3,3A)の一方の第１輪状絶縁カバー(3)の外側に形成された渡り線用壁部(7)の底部(11a)に溝部(30)を形成し、渡り線(10)を設けた後に供給したワニス(20)が前記溝部(30)内に溜まり、渡り線(10)がワニス(20)内に埋まることを防止し、渡り線(10)の断線を防止する構成である。【選択図】図１
2017127123.tif 000002
【特許請求の範囲】
【請求項１】
輪状ステータコア(1)の第１端面(1a)及び第２端面(1b)に一体又は別体にて形成された第１輪状絶縁カバー(3)及び第２輪状絶縁カバー(3A)と、前記各輪状絶縁カバー(3,3A)に形成されステータ巻線(4)を巻回するための第１巻線受部(1c)及び第２巻線受部(1d)と、前記各巻線受部(1c,1d)の間に位置し前記輪状ステータコア(1)に一体に形成された突出磁極(2)と、前記第１輪状絶縁カバー(3)の前記第１巻線受部(1c)の外側に一体形成された断面Ｌ字型の渡り線用壁部(7)と、前記渡り線用壁部(7)によって形成された渡り線用空間(11)と、を備え、
前記突出磁極(2)を挟んで前記各巻線受部(1c,1d)間に巻回された前記ステータ巻線(4)の渡り線(10)が前記渡り線用空間(11)内を経て隣接する前記突出磁極(2)側へ渡ると共に、前記渡り線用空間(11)内で前記渡り線(10)をワニス(20)で固定するように構成したレゾルバステータの絶縁構造において、
前記渡り線用壁部(7)の底部(11a)に形成された溝部(30)を有し、前記ワニス(20)が前記溝部(30)内に溜まることにより、前記渡り線(10)が前記ワニス(20)で埋まらないように構成したことを特徴とするレゾルバステータの絶縁構造。
【請求項２】
前記溝部(30)は、前記渡り線(10)の線径以下の幅(W)を有し、断面形状で四角形をなしていることを特徴とする請求項１記載のレゾルバステータの絶縁構造。
【発明の詳細な説明】
【技術分野】
【０００１】
本発明は、レゾルバステータの絶縁構造に関し、特に、輪状ステータコアの各突出磁極に巻回させたステータ巻線の渡り線をワニス内に埋め込まないようにするための新規な改良に関する。
【背景技術】
【０００２】
従来、用いられていたこの種のレゾルバステータの絶縁構造としては、例えば、特許文献１に示されるレゾルバの構造を図３から図５に挙げることができる。
図３において、符号１で示されるものは輪状ステータコアであり、この輪状ステータコア１の端面１ａには、輪状絶縁カバー３が設けられている。
前記輪状ステータコア１の内壁に突出して設けられた各突出磁極２には、前記輪状絶縁カバー３を介してステータ巻線４が巻回され、前記輪状絶縁カバー３の一部から一体に外方へ向けて突出して形成された端子ピン保持部５には、複数の端子ピン６が植設されていると共に、前記輪状絶縁カバー３には複数の渡り線用壁部７が軸方向に沿って一体に形成されている。
【０００３】
前記突出磁極２に巻回された前記ステータ巻線４の端線４ａは、前記端子ピン６に巻付けられ、前記突出磁極２で巻回した前記ステータ巻線４を隣接する次の突出磁極２に巻回する場合は、前記各突出磁極２間の外側に位置する前記渡り線用壁部７の内側を経て前記ステータ巻線４が渡るように構成されていた。
尚、図３の従来構成においては、各端線４ａに対してたるみを形成するためのたるみ棒１０が配設されており、このたるみ棒１０を巻線後に除去すると、各端線４ａがたるんだ状態を保つことができる。
【０００４】
また、前述のレゾルバの前記輪状ステータコア１のステータ巻線４部分を断面で示すと、図４及び図５で示すとおりである。すなわち、前記突出磁極２の第１、第２端面１ａ，１ｂに設けられた第１、第２輪状絶縁カバー３,３Ａの第１、第２巻線受部１ｃ，１ｄにより前記突出磁極２を挟持するように巻回されたステータ巻線４の渡り線１０は、前記第１輪状絶縁カバー３と一体で、かつ、前記第１輪状絶縁カバー３の外側に形成された渡り線用壁部７の内側の渡り線用空間１１内に案内されている。
【０００５】
前記渡り線用空間１１の底部１１ａは平坦に形成されている。
従って、前述の従来構成においては、前記渡り線用空間１１内に位置する前記渡り線１０に対しては、ワニス２０を供給して前記渡り線１０を固定するようにしていた。
【先行技術文献】
【特許文献】
【０００６】
【特許文献１】米国特許第６０４４５４５号公報
【発明の概要】
【発明が解決しようとする課題】
【０００７】
従来のレゾルバステータの絶縁構造は、以上のように構成されていたため、次のような課題が存在していた。
すなわち、前記渡り線用空間１１内に配設された前記渡り線１０にワニス２０を供給しているため、図４及び図５で示されるように、前記渡り線１０がワニス２０の中に埋め込まれて、ワニス２０が固化して前記渡り線１０が固定されているため、何らかの環境温度の変化によって前記ワニス２０が割れる恐れがあり、このよう場合には、この割れの力によって渡り線１０が断線する恐れがあった。
【０００８】
本発明は、以上のような課題を解決するためになされたもので、特に、輪状ステータコアの各突出磁極に巻回したステータ巻線の渡り線をワニス内に埋め込まないように構成したレゾルバステータの絶縁構造を提供することを目的とする。
【課題を解決するための手段】
【０００９】
本発明によるレゾルバステータの絶縁構造は、輪状ステータコアの第１端面及び第２端面に一体又は別体にて形成された第１輪状絶縁カバー及び第２輪状絶縁カバーと、前記各輪状絶縁カバーに形成されステータ巻線を巻回するための第１巻線受部及び第２巻線受部と、前記各巻線受部の間に位置し前記輪状ステータコアに一体に形成された突出磁極と、前記第１輪状絶縁カバーの前記第１巻線受部の外側に一体形成された断面Ｌ字型の渡り線用壁部と、前記渡り線用壁部によって形成された渡り線用空間と、を備え、前記突出磁極を挟んで前記各巻線受部間に巻回された前記ステータ巻線の渡り線が前記渡り線用空間内を経て隣接する前記突出磁極側へ渡ると共に、前記渡り線用空間内で前記渡り線をワニスで固定するように構成したレゾルバステータの絶縁構造において、前記渡り線用壁部の底部に形成された溝部を有し、前記ワニスが前記溝部内に溜まることにより、前記渡り線が前記ワニスで埋まらないようにした構成であり、また、前記溝部は、前記渡り線の線径以下の幅を有し、断面形状で四角形をなしている構成である。
【発明の効果】
【００１０】
本発明によるレゾルバステータの絶縁構造は、以上のように構成されているため、次のような効果を得ることができる。
すなわち、輪状ステータコアの第１端面及び第２端面に一体又は別体にて形成された第１輪状絶縁カバー及び第２輪状絶縁カバーと、前記各輪状絶縁カバーに形成されステータ巻線を巻回するための第１巻線受部及び第２巻線受部と、前記各巻線受部の間に位置し前記輪状ステータコアに一体に形成された突出磁極と、前記第１輪状絶縁カバーの前記第１巻線受部の外側に一体形成された断面Ｌ字型の渡り線用壁部と、前記渡り線用壁部によって形成された渡り線用空間と、を備え、前記突出磁極を挟んで前記各巻線受部間に巻回された前記ステータ巻線の渡り線が前記渡り線用空間内を経て隣接する前記突出磁極側へ渡ると共に、前記渡り線用空間内で前記渡り線をワニスで固定するように構成したレゾルバステータの絶縁構造において、前記渡り線用壁部の底部に形成された溝部を有し、前記ワニスが前記溝部内に溜まることにより、前記渡り線が前記ワニスで埋まらないように構成したことにより、ワニスが劣化してクラックが入った場合でも、渡り線がワニス中に埋もれていないため、渡り線が切られることはなく、レゾルバの信頼性を大幅に向上させることができる。
また、前記溝部は、前記渡り線の線径以下の幅を有し、断面形状で四角形をなしている構成であるため、溝部内のワニス内に渡り線が埋没することなく、渡り線をワニスで固定することができる。
【図面の簡単な説明】
【００１１】
【図１】本発明によるレゾルバステータの絶縁構造を示す要部の断面図である。
【図２】図１の要部の拡大断面図である。
【図３】従来のレゾルバステータの要部を示す斜視図である。
【図４】図３の要部の拡大断面図である。
【図５】図４の要部の拡大断面図である。
【発明を実施するための形態】
【００１２】
本発明によるレゾルバステータの絶縁構造は、輪状ステータコアの各突出磁極に巻回したステータ巻線の渡り線をワニス内に埋め込まないようにすることである。
【実施例】
【００１３】
以下、図面と共に本発明によるレゾルバステータの絶縁構造の好適な実施の形態について説明する。
尚、従来例と同一又は同等部分には同一符号を付すと共に、図３の構成と同一部分は、本発明の説明に援用するものとする。
図１において符号１で示されるものは輪状ステータであり、前記輪状ステータコア１の内径側１Ａには、内方に突出して多数形成された突出磁極２が形成されている。
前記輪状ステータコア１の第１端面１ａ及び第２端面１ｂには、一体又は別体にて形成された第１輪状絶縁カバー３及び第２輪状絶縁カバー３Ａが設けられ、前記第１輪状絶縁カバー３には、前記突出磁極２の外周側において凹状をなす第１巻線受部１ｃが形成されている。
前記第２輪状絶縁カバー３Ａには、前記第１巻線受部１ｃに対応して第２巻線受部１ｄが形成されている。
【００１４】
前記第１、第２巻線受部１ｃ，１ｄには、ステータ巻線４が前記突出磁極２の外周を巻回するように巻付けられている。
前記第１輪状絶縁カバー３の外側位置には、ステータ巻線４の渡り線１０を案内するための渡り線用空間１１を有する渡り線用壁部７が形成されており、前記各突出磁極２の外周に巻回された前記ステータ巻線４は、各突出磁極２を渡る時の渡り線１０が前記渡り線用空間１１を経るように構成されている。
【００１５】
前記渡り線用壁部７の底部１１ａには、断面で四角型をなす溝部３０が形成されており、前記渡り線１０を案内した後にワニス２０を塗布又は供給すると、ワニス２０は前記溝部３０内に流れ込んで溜まるため、渡り線１０がワニス２０の中に埋まることを防止することができる。
従って、前記ワニス２０によるポッティング処理後の渡り線１０には、わずかなワニス２０しか付着しないので、ワニス２０による渡り線１０の前記渡り線用空間１１内での固定はできるが、従来のような渡り線１０の断線事故は防止することができる。尚、前記溝部３０の幅Ｗは、渡り線１０の線径以下に形成されている。
【００１６】
次に、本発明によるレゾルバステータの絶縁構造の要旨とするところは、以下の通りである。
すなわち、輪状ステータコア１の第１端面１ａ及び第２端面１ｂに一体又は別体にて形成された第１輪状絶縁カバー３及び第２輪状絶縁カバー３Ａと、前記各輪状絶縁カバー３，３Ａに形成されステータ巻線４を巻回するための第１巻線受部１ｃ及び第２巻線受部１ｄと、前記各巻線受部１ｃ，１ｄの間に位置し前記輪状ステータコア１に一体に形成された突出磁極２と、前記第１輪状絶縁カバー３の前記第１巻線受部１ｃの外側に一体形成された断面Ｌ字型の渡り線用壁部７と、前記渡り線用壁部７によって形成された渡り線用空間１１と、を備え、前記突出磁極２を挟んで前記各巻線受部１ｃ，１ｄ間に巻回された前記ステータ巻線４の渡り線１０が前記渡り線用空間１１内を経て隣接する前記突出磁極２側へ渡ると共に、前記渡り線用空間１１内で前記渡り線１０をワニス２０で固定するように構成したレゾルバステータの絶縁構造において、前記渡り線用壁部７の底部１１ａに形成された溝部３０を有し、前記ワニス２０が前記溝部３０内に溜まることにより、前記渡り線１０が前記ワニス２０で埋まらないようにした構成であり、また、前記溝部３０は、前記渡り線１０の線径以下の幅Ｗを有し、断面形状で四角形をなしている構成である。
【産業上の利用可能性】
【００１７】
本発明によるレゾルバステータの絶縁構造は、綿の線を保持するための渡り線用壁部の底部に溝部が形成されているため、渡り線を固定するために供給したワニスは前記溝部内に流れて溜まるため、従来のように渡り線がワニス内に埋まることはなく、渡り線の断線を防ぎ、レゾルバの信頼性を向上させることができる。
【符号の説明】
【００１８】
１    輪状ステータコア
１ａ    第１端面
１ｂ    第２端面
１ｃ    第１巻線受部
１ｄ    第２巻線受部
１Ａ    内径側
２    突出磁極
３    第１輪状絶縁カバー
３Ａ    第２輪状絶縁カバー
４    ステータ巻線
７    渡り線用壁部
１０    渡り線
１１    渡り線用空間
１１ａ    底部
２０    ワニス
３０    溝部
Ｗ    幅
【図１】
2017127123.tif 000003
【図２】
2017127123.tif 000004
【図３】
2017127123.tif 000005
【図４】
2017127123.tif 000006
【図５】
2017127123.tif 000007